(57)【要約】【課題】屋根の上に設置された建物設備を好適に支持することができる屋根構造を提供する。【解決手段】屋根１０は、棟木２１と、棟木２１により支持された垂木２２と、垂木２２に載置された野地板２３と、野地板２３に載置された瓦２４とを有している。屋根１０の上には、アンテナ支柱４２により支持されたアンテナ４１が設置されている。アンテナ支柱４２は、棟木２１及び棟瓦２４ａを上下に貫通した状態で設置されており、棟木２１及び棟瓦２４ａには、アンテナ支柱４２が挿通される支柱挿通孔４５，４６がそれぞれ設けられている。棟木２１においては、支柱挿通孔４５が棟木２１の長手方向に沿って複数設けられており、支柱挿通孔４６有りの棟瓦２４ａは、いずれの支柱挿通孔４５の上方についても設置可能とされている。【選択図】図１
2012224984.tif 000002
【特許請求の範囲】
【請求項１】
屋根の棟に沿って延びる棟木を有し、前記棟木により支持される垂木の上に屋根仕上材が設けられ、前記屋根の上に設置された建物設備を支持する支持部材が前記屋根仕上材を貫通した状態で前記棟木に固定されている建物の屋根構造であって、
前記棟木には、前記支持部材を挿通させることが可能な棟木孔が前記棟木の長手方向に沿って複数設けられており、
前記屋根仕上材には、前記支持部材を挿通させることが可能な仕上材孔が前記複数の棟木孔のうち少なくとも１つの上方に設けられており、
前記支持部材は、前記棟木孔及び前記仕上材孔に挿通させた状態で前記棟木に対して固定されていることを特徴とする建物の屋根構造。
【請求項２】
前記屋根仕上材は、前記棟木の上方において該棟木に沿って並べられた複数の屋根葺き材を有しており、
前記複数の屋根葺き材は、前記仕上材孔が設けられた孔有り葺き材と、前記仕上材孔が設けられていない孔無し葺き材とを有しており、
前記棟木の上方においては、前記複数の棟木孔のうち少なくとも１つの上方位置に前記孔有り葺き材が設けられ、該孔有り葺き材とは異なる位置に前記孔無し葺き材が設けられていることを特徴とする請求項１に記載の建物の屋根構造。
【請求項３】
前記複数の屋根葺き材は、前記棟木の長手方向に沿って寸法Ｌの間隔で定めた各位置に並べて設けられており、
前記仕上材孔は、前記孔有り葺き材においてあらかじめ定めた所定位置に配置されており、
前記複数の棟木孔は、Ｌ×ｎ（ｎは自然数）の間隔で前記棟木に配置されていることを特徴とする請求項２に記載の建物の屋根構造。
【請求項４】
前記建物設備は、電気機器と該電気機器に電気的に接続される電気配線とを有しており、
前記支持部材は、前記電気配線を挿通させることが可能な中空部と、前記電気配線を前記中空部から引き出すことが可能な配線引き出し口とを有しており、
前記配線引き出し口は、前記仕上材孔の上方及び下方のそれぞれに設けられていることを特徴とする請求項１乃至３のいずれか１項に記載の建物の屋根構造。
【請求項５】
前記建物設備は、前記電気機器としてのアンテナと、前記電気配線としてのアンテナケーブルとを有しており、
前記支持部材は、前記アンテナを支持するアンテナ支柱であり、
前記屋根仕上材の屋内側には、前記アンテナケーブルを接続可能なケーブルコネクタが前記棟木の長手方向に沿って複数並べて設けられていることを特徴とする請求項４に記載の建物の屋根構造。
【請求項６】
前記棟木孔は前記棟木を上下方向に貫通するものであり、
前記アンテナ支柱は、前記配線引き出し口のいずれかが前記棟木孔の下側に配置されるように前記棟木孔に挿通されており、
前記ケーブルコネクタは、前記棟木の下側に設けられていることを特徴とする請求項５に記載の建物の屋根構造。
【請求項７】
前記建物設備は、太陽光発電を行う太陽光パネルを有しており、
前記太陽光パネルは、それぞれ異なる前記棟木孔に対して固定された複数の支持部材により支持されているものであることを特徴とする請求項１乃至６のいずれか１項に記載の建物の屋根構造。
【請求項８】
前記棟を挟んで両側に配置された一対の傾斜屋根部を備え、
前記太陽光パネルは、前記一対の傾斜屋根部のそれぞれに配置されており、それら太陽光パネルは前記複数の支持部材によりそれぞれ支持されているものであることを特徴とする請求項７に記載の建物の屋根構造。
【発明の詳細な説明】
【技術分野】
【０００１】
本発明は、建物の屋根構造に関するものである。
【背景技術】
【０００２】
住宅等の建物において、アンテナや太陽光パネル等の建物設備が屋根の上に設置されていることがある。例えば特許文献１には、建物設備としてアンテナが屋根の上に設置されている構成が開示されている。この構成では、アンテナを支持するアンテナ支柱が、屋根において瓦等の屋根仕上材と棟木とを上下に貫通した状態で棟木及び束柱に対して固定されている。
【先行技術文献】
【特許文献】
【０００３】
【特許文献１】特開平８−１２５４２０号公報
【発明の概要】
【発明が解決しようとする課題】
【０００４】
しかしながら、アンテナ支柱等の支持部材が棟木を貫通した状態で固定されている構成においては、支持部材の位置を変更することや支持部材の数を増やす又は減らすことが困難になると考えられる。これは、固定位置の変更先においては棟木に貫通孔を新たに形成するか、貫通孔を新たに形成しない場合には棟木に対する支持部材の固定方式を変更する必要があるためである。したがって、屋根の上に設置された建物設備を好適に固定する構成に関して改善の余地がある。
【０００５】
本発明は、屋根の上に設置された建物設備を好適に支持することができる屋根構造を提供することを主たる目的とする。
【課題を解決するための手段】
【０００６】
上記課題を解決するために、第１の発明の建物の屋根構造は、屋根の棟に沿って延びる棟木を有し、前記棟木により支持される垂木の上に屋根仕上材が設けられ、前記屋根の上に設置された建物設備を支持する支持部材が前記屋根仕上材を貫通した状態で前記棟木に固定されている建物の屋根構造であって、前記棟木には、前記支持部材を挿通させることが可能な棟木孔が前記棟木の長手方向に沿って複数設けられており、前記屋根仕上材には、前記支持部材を挿通させることが可能な仕上材孔が前記複数の棟木孔のうち少なくとも１つの上方に設けられており、前記支持部材は、前記棟木孔及び前記仕上材孔に挿通させた状態で前記棟木に対して固定されていることを特徴とする。
【０００７】
第１の発明によれば、支持部材が棟木を貫通した状態で固定されている構成において、棟木孔が棟木の長手方向に沿って複数並べられている。この場合、支持部材の固定対象を他の棟木孔に変更するという容易な作業により、支持部材の固定方式を変えることなく、棟木の長手方向において支持部材の位置変更を行うことが可能となる。さらに、複数の支持部材が設置されている場合にも、各支持部材の固定方式を支持部材ごとに変える必要がない。したがって、アンテナなど小型の建物設備を複数設置する場合や太陽光パネル等の大型の建物設備を設置する場合など複数の支持部材を必要とする場合に、支持部材の設置作業を容易化することができる。しかも、棟木は複数の垂木を支持できる強度を有しているものであるため、複数の支持部材が固定されてもそれら支持部材をいずれも好適に支持できる。以上の結果、屋根の上に設置された建物設備を好適に支持することができる。
【０００８】
第２の発明では、前記屋根仕上材は、前記棟木の上方において該棟木に沿って並べられた複数の屋根葺き材を有しており、前記複数の屋根葺き材は、前記仕上材孔が設けられた孔有り葺き材と、前記仕上材孔が設けられていない孔無し葺き材とを有しており、前記棟木の上方においては、前記複数の棟木孔のうち少なくとも１つの上方位置に前記孔有り葺き材が設けられ、該孔有り葺き材とは異なる位置に前記孔無し葺き材が設けられている。
【０００９】
第２の発明によれば、孔有り葺き材を棟木孔に合わせて配置することが可能となる。この場合、支持部材の固定対象としての棟木孔が複数設けられている構成において、支持部材の設置場所において屋根葺き材を加工して仕上材孔を新たに形成するという必要がなく、仕上材孔の移設作業や増設作業を容易化できる。つまり、屋根仕上材について仕上材孔の形成作業を容易化できる。
【００１０】
第３の発明では、前記複数の屋根葺き材は、前記棟木の長手方向に沿って寸法Ｌの間隔で定めた各位置に並べて設けられており、前記仕上材孔は、前記孔有り葺き材においてあらかじめ定めた所定位置に配置されており、前記複数の棟木孔は、Ｌ×ｎ（ｎは自然数）の間隔で前記棟木に配置されている。
【００１１】
第３の発明によれば、棟木の上方において複数の屋根葺き材のいずれが孔有り葺き材とされても、仕上材孔と棟木孔とを上下に並べることができる。この場合、既設の屋根葺き材同士の位置を入れ替えることにより仕上材孔を位置変更することが可能となるため、仕上材孔の移設に際して新規の屋根仕上材を使用する必要がない。したがって、仕上材孔の移設についてコスト低減を図ることができる。なお、寸法Ｌは、屋根葺き材の葺き幅に相当する。
【００１２】
第４の発明では、前記建物設備は、電気機器と該電気機器に電気的に接続される電気配線とを有しており、前記支持部材は、前記電気配線を挿通させることが可能な中空部と、前記電気配線を前記中空部から引き出すことが可能な配線引き出し口とを有しており、前記配線引き出し口は、前記仕上材孔の上方及び下方のそれぞれに設けられている。
【００１３】
第４の発明によれば、支持部材が屋根仕上材を貫通している構成において、支持部材及び電気配線の両方を同一の仕上材孔に対して挿通させることができる。このため、支持部材の設置場所が異なっても、各場所における支持部材の固定方式だけでなく電気配線の敷設方式を統一できる。つまり、支持部材の設置作業に加えて電気配線の敷設作業を容易化することができる。
【００１４】
第５の発明では、前記建物設備は、前記電気機器としてのアンテナと、前記電気配線としてのアンテナケーブルとを有しており、前記支持部材は、前記アンテナを支持するアンテナ支柱であり、前記屋根仕上材の屋内側には、前記アンテナケーブルを接続可能なケーブルコネクタが前記棟木の長手方向に沿って複数並べて設けられている。
【００１５】
第５の発明によれば、ケーブルコネクタが棟木の長手方向に沿って複数並べられているため、複数の棟木孔のいずれに支持部材が固定されていても、その固定先でアンテナケーブルを近くのケーブルコネクタに接続することができる。したがって、アンテナ支柱を移設した場合にアンテナケーブルを移設元から移設先まで延ばすように敷設するという必要がない。つまり、アンテナケーブルの敷設作業を容易化できる。
【００１６】
なお、前記ケーブルコネクタは前記棟木孔ごとに設けられていることが好ましい。この場合、アンテナ支柱の設置場所に合わせてアンテナケーブルの長さ調整（新規のアンテナケーブルへの取り換えやケーブル同士の接続作業）を行う必要がないため、アンテナケーブルをケーブルコネクタに接続する作業を容易化できる。
【００１７】
第６の発明では、前記棟木孔は前記棟木を上下方向に貫通するものであり、前記アンテナ支柱は、配線引き出し口のいずれかが前記棟木孔の下側に配置されるように前記棟木孔に挿通されており、前記ケーブルコネクタは、前記棟木の下側に設けられている。
【００１８】
第６の発明によれば、アンテナケーブルをケーブルコネクタに接続する作業を棟木の下側にて行うことができる。ここで、アンテナ支柱を棟木に固定する作業やアンテナケーブルをアンテナ支柱の下側のケーブル引き出し口から引き出す作業は、天井裏空間等において棟木の下方から行うと想定される。したがって、アンテナケーブルの接続作業も棟木の下方から行うことができることにより、アンテナの移設に際して屋根の下側にて行われる作業を容易化できる。
【００１９】
第７の発明では、前記建物設備は、太陽光発電を行う太陽光パネルを有しており、前記太陽光パネルは、前記屋根の上において前記棟よりも下方に配置され、それぞれ異なる前記棟木孔に対して固定された複数の支持部材により上方から支持されているものである。
【００２０】
第７の発明によれば、棟木の長手方向に沿って複数設置された複数の支持部材を使用すれば、屋根傾斜部に設けられた太陽光パネルを複数の場所にて好適に支持することができる。しかも、棟木は複数の垂木を支持できる強度を有しているため、屋根の上に設置された建物設備が太陽光パネルという大型の建物設備であっても支持部材を介して棟木により好適に支持できる。
【００２１】
第８の発明では、前記棟を挟んで両側に配置された一対の傾斜屋根部を備え、前記太陽光パネルは、前記一対の傾斜屋根部のそれぞれに配置されており、それら太陽光パネルは前記複数の支持部材によりそれぞれ支持されているものである。
【００２２】
一対の傾斜屋根部を有する寄棟式や切妻式の屋根においては、一対の傾斜屋根部のそれぞれに太陽光パネルが設けられていると、各太陽光パネルの上端部が屋根の棟において集合することになる。そこで、第８の発明によれば、棟に沿って複数設けられた支持部材により太陽光パネルを好適に支持することができる。しかも、いずれの傾斜屋根部に太陽光パネルが設置されていても、太陽光パネルを棟木により支持できる。
【図面の簡単な説明】
【００２３】
【図１】棟周辺の屋根の内部構成を示す斜視図。
【図２】棟周辺の屋根の構成を示す縦断面図。
【図３】アンテナ周辺の屋根の構成を示す分解斜視図。
【図４】太陽光パネル周辺の屋根の構成を示す図。
【発明を実施するための形態】
【００２４】
以下、本発明を具体化した一実施形態について図面を参照しつつ説明する。本実施形態では、本発明を切妻造りの屋根を有する住宅等の建物について具体化している。図１は棟１２周辺の屋根１０の内部構成を示す斜視図、図２は棟１２周辺の屋根１０の構成を示す縦断面図である。
【００２５】
図１、図２に示すように、屋根１０は、棟１２をその短手方向において挟んで配置された一対の傾斜屋根部１０ａを有している。一対の傾斜屋根部１０ａは、それぞれ棟１２を上端として軒先に向けて斜め下方に傾斜している。屋根１０は、横架材（梁材）としての棟木２１と、棟木２１から軒先側に向けて延びる垂木２２と、垂木２２の上に載置された屋根下地材としての野地板２３と、野地板２３の上に載置された屋根仕上材としての瓦２４とを有している。
【００２６】
棟木２１は、鋼材としてのＨ形鋼により長尺状に形成されており、棟１２に沿って水平方向に延びている。棟木２１は、ウェブ２１ａとそのウェブ２１ａを挟んで対向する一対のフランジ２１ｂとを有しており、それらウェブ２１ａ及びフランジ２１ｂにより形成された溝部の開放側を側方に向けて設置されている。
【００２７】
垂木２２は、棟木２１の長手方向と直交する方向において斜め下方に向けて延びており、棟木２１を挟んで両側のそれぞれにおいて棟木２１の長手方向に沿うように複数並べて配置されている。垂木２２は、鋼材としての溝形鋼により長尺状に形成されており、溝部の開放側を側方に向けた状態で棟木２１に連結されている。
【００２８】
棟木２１には棟木ブラケット３１が取り付けられており、その棟木ブラケット３１に垂木２２の端部が固定されている。棟木ブラケット３１は、棟木２１のウェブ２１ａの両側面にそれぞれ取り付けられており、棟木２１の長手方向に沿って延びている。各棟木ブラケット３１は、棟木２１の長手方向と直交する方向において斜め下方に向けて開放された溝形鋼とされており、棟木２１の一対のフランジ２１ｂの間（溝部内）に配置されている。各棟木ブラケット３１のウェブ３１ａは棟木２１のウェブ２１ａに重ねられており、各棟木ブラケット３１のウェブ３１ａは棟木２１のウェブ２１ａを挟んだ状態で固定ボルト３２により棟木２１のウェブ２１ａに対して固定されている。また、棟木ブラケット３１は、溶接によっても棟木２１に対して固定されている。
【００２９】
垂木２２の端部は棟木ブラケット３１の溝部内に嵌合されており、その状態で棟木ブラケット３１に対して固定されている。この場合、垂木２２の端面が棟木ブラケット３１のウェブ３１ａの側面に当接しているとともに、垂木２２のフランジ２２ｂの外側面が棟木ブラケット３１のフランジ３１ｂの内側面に当接しており、それら当接部分にて垂木２２と棟木２１とが溶接されている。
【００３０】
また、棟木ブラケット３１及び垂木２２には、それらの連結状態を補強する連結補強部材３３が取り付けられている。連結補強部材３３は鋼鉄材料により板状に形成されており、棟木ブラケット３１のウェブ３１ａと垂木２２のウェブ２２ａとの境界部を跨いだ状態でそれらウェブ２２ａ，３１ａの板面に当接し、その状態でウェブ２２ａ，３１ａのそれぞれに対して溶接等により固定されている。
【００３１】
野地板２３は合板等により形成されており、棟木２１を挟んで両側のそれぞれにおいて隣り合う垂木２２に架け渡された状態で設置されている。瓦２４は、金属板材やスレート材により板状に形成された屋根葺き材であり、ビス等の固定具により野地板２３に対して固定されている。瓦２４は、棟木２１の長手方向及びそれとは直交する方向のそれぞれにおいて並べて複数配置されている。瓦２４と野地板２３との間には木製の桟木３５が設けられており、桟木３５により瓦２４の位置決めがなされている。なお、図１においては野地板２３及び桟木３５の図示を省略している。
【００３２】
複数の瓦２４のうち屋根１０の棟１２を形成する棟瓦２４ａは、棟木２１の上方において棟木２１の長手方向に沿って横並びに複数配置されている。各棟瓦２４ａは、中央部分が上方に向けて突出するように折り曲げられた形状とされており、大きさ及び形状がほぼ同じとされている。棟瓦２４ａは、屋根１０の傾斜方向（流れ方向）において隣り合う他の瓦２４の上に重なった状態となるように棟桟３６の上に載置されており、その棟桟３６を介して棟木２１に対して固定されている。
【００３３】
棟木２１の上面には、棟桟３６を下方から支持する受け金具３７が載置されており、受け金具３７は棟木２１の長手方向に沿って延びている。受け金具３７はボルト等の固定具により棟木２１に対して固定されており、棟瓦２４ａはネジ等の固定具により棟桟３６に対して固定されている。
【００３４】
屋根１０の上には、視聴覚機器用のアンテナ４１が設置されている。ここでは、アンテナ４１の支持構成について図３を参照しつつ説明する。図３はアンテナ４１周辺の屋根１０の構成を示す分解斜視図である。なお、図３においては、垂木２２、野地板２３、棟木ブラケット３１、固定ボルト３２、連結補強部材３３、桟木３５、支柱固定具４３、防水部材５７の図示を省略している。
【００３５】
図３に示すように、アンテナ４１は、比較的小型の建物設備としての電気機器に相当し、屋根１０に立設された支持部材としてのアンテナ支柱４２の上端部に取り付けられている。アンテナ支柱４２は、金属材料により形成された鋼管柱とされており、棟瓦２４ａ及び棟木２１を上下に貫通した状態で支柱固定具４３により棟木２１に対して固定されている。これにより、棟木２１に対するアンテナ支柱４２の固定強度を高めている。
【００３６】
棟木２１及び棟瓦２４ａには、アンテナ支柱４２を挿通させるための支柱挿通孔４５，４６がそれぞれ設けられており、それら支柱挿通孔４５，４６は連通した状態となるように上下に並べて配置されている。棟木２１においては、支柱挿通孔４５が各フランジ２１ｂのそれぞれに設けられており、いずれの支柱挿通孔４５も、棟瓦２４ａの支柱挿通孔４６と連通した状態となるように上下に並べられている。
【００３７】
なお、アンテナ支柱４２は棟木２１及び棟瓦２４ａに加えて受け金具３７を上下に貫通しており、受け金具３７にも棟木２１及び棟瓦２４ａの支柱挿通孔４５，４６と連通する挿通孔が設けられている。
【００３８】
ちなみに、アンテナ４１により電気機器及び建物設備が構成されている。また、棟木２１に形成された支柱挿通孔４５が棟木孔に相当し、瓦２４に形成された支柱挿通孔４６が仕上材孔に相当する。
【００３９】
アンテナ４１は、建物内に設置された視聴覚機器に対して電気配線としてのアンテナケーブル５１により電気的に接続されている。建物には、アンテナケーブル５１用のケーブルコネクタ５２が設けられており、アンテナケーブル５１はケーブルコネクタ５２に接続されることで視聴覚機器と接続された状態になる。ケーブルコネクタ５２はコネクタケース５３に収納されており、コネクタケース５３は棟木２１の下側に設けられている。この場合、コネクタケース５３は屋根裏空間に設けられていることになる。
【００４０】
アンテナケーブル５１は、アンテナ支柱４２の中空部に挿通された状態で一端がアンテナ４１に接続され、他端がケーブルコネクタ５２に接続されている。アンテナ支柱４２においては、その上端部及び下端部のそれぞれに配線引き出し口としてのケーブル引き出し口５５が設けられている。この場合、上側のケーブル引き出し口５５は屋外に配置され、アンテナ４１に接続される方のケーブル端部はこのケーブル引き出し口５５から引き出されている。一方、下側のケーブル引き出し口５５は屋内に配置され、ケーブルコネクタ５２に接続される方のケーブル端部はこのケーブル引き出し口５５から引き出されている。なお、屋外側のケーブル引き出し口５５においては防水フード等の水切り構造が設けられている。
【００４１】
棟瓦２４ａの支柱挿通孔４６においては、ゴム等の弾性材料により形成された防水部材５７がアンテナ支柱４２に対して取り付けられている。防水部材５７は防水性を有しており、支柱挿通孔４６の内周面とアンテナ支柱４２の外周面との間の隙間に対して防水機能を付与している。
【００４２】
支柱固定具４３は、棟木２１の下側のフランジ２１ｂの下面側に配置されており、アンテナ支柱４２の下端部を下側のフランジ２１ｂに対して固定している。支柱固定具４３は、アンテナ支柱４２の周面に当接する第１当接部４３ａと、下側のフランジ２１ｂの下面に当接する第２当接部４３ｂとを有しており、第１当接部４３ａはビス等によりアンテナ支柱４２の下端部に固定され、第２当接部４３ｂはボルト等により下側のフランジ２１ｂに固定されている。
【００４３】
本実施形態では、棟木２１において支柱挿通孔４５が棟木２１の長手方向に沿って複数並べて配置されている。この場合、棟木２１を加工して支柱挿通孔４５を新たに形成しなくても、アンテナ支柱４２の取り付け対象を他の支柱挿通孔４５に変更することにより、棟１２が延びる方向においてアンテナ支柱４２の取り付け位置を変更することができる。なお、受け金具３７においても、その受け金具３７を上下に貫通する貫通孔が棟木２１の各支柱挿通孔４５に合わせて複数設けられている。
【００４４】
棟瓦２４ａにおいて支柱挿通孔４６は、アンテナ支柱４２が立設されている部分には設けられているが、アンテナ支柱４２が立設されていない部分には設けられていない。これに対して、上述したように各棟瓦２４ａは互いの大きさ及び形状がほぼ同じとされているため、支柱挿通孔４６有りの棟瓦２４ａと支柱挿通孔４６無しの棟瓦２４ａとで位置を入れ替えることにより支柱挿通孔４６の位置を変更することが可能となっている。なお、支柱挿通孔４６有りの棟瓦２４ａが孔有り葺き材に相当し、支柱挿通孔４６無しの棟瓦２４ａが孔無し葺き材に相当する。
【００４５】
棟木２１において各支柱挿通孔４５は、それぞれの上方に存在する棟瓦２４ａに合わせて配置されている。この場合、各支柱挿通孔４５は、それぞれの上方に存在する棟瓦２４ａとの相対的な位置関係が、全ての支柱挿通孔４５について同じとなるように配置されている。具体的には、棟木２１の上方において複数の棟瓦２４ａは、棟木２１の長手方向に沿って所定寸法Ｌの間隔で定めた各位置に並べられており、棟木２１の各支柱挿通孔４５は所定寸法Ｌの間隔で並べられている。なお、所定寸法Ｌは、棟瓦２４ａの葺き幅に相当する。
【００４６】
ここで、支柱挿通孔４５は、一部の棟瓦２４ａに対応して設けられていてもよい。例えば、棟木２１において、支柱挿通孔４６有りの棟瓦２４ａからｎ個目の棟瓦２４ａの下方に支柱挿通孔４５が配置されていてもよい。この場合、隣り合う支柱挿通孔４５の間隔は所定寸法Ｌのｎ倍（Ｌ×ｎ）の大きさとされる。ちなみに、ｎは自然数とされる。
【００４７】
なお、所定寸法Ｌは、棟木２１の長手方向において棟瓦２４ａが上方に露出した部分の長さ寸法とされている。したがって、隣り合う棟瓦２４ａが互いの一部を重ね合わせた状態で設けられている場合には、所定寸法Ｌが棟瓦２４ａの幅寸法と隣り合う棟瓦２４ａの重なり幅との差とされ、隣り合う棟瓦２４ａが重なっていない場合には、所定寸法Ｌが棟瓦２４ａの幅寸法とされる。
【００４８】
上記のように、棟木２１の各支柱挿通孔４５は棟瓦２４ａに合わせて配置されているため、各支柱挿通孔４５のいずれの上方に支柱挿通孔４６有りの棟瓦２４ａが設置された場合でも、棟瓦２４ａの支柱挿通孔４６が棟木２１の支柱挿通孔４５に対して上下に連通した状態となる。また、既設の支柱挿通孔４６無しの棟瓦２４ａを新規の支柱挿通孔４６有りの棟瓦２４ａに取り替えることで、支柱挿通孔４６を増設することもできる。
【００４９】
コネクタケース５３は、長尺形状に形成されており、棟木２１の下側において棟木２１の長手方向に沿って延びるように配置されている。ケーブルコネクタ５２は、コネクタケース５３において複数設けられており、棟木２１の支柱挿通孔４５に対応させて棟木２１の長手方向に沿って並べて配置されている。この場合、棟木２１において複数の支柱挿通孔４５にアンテナ支柱４２が固定されていても、そのアンテナ支柱４２の下端部のケーブル引き出し口５５の近傍にケーブルコネクタ５２が配置されていることになる。
【００５０】
次に、アンテナ４１の位置を変更する場合の作業手順について説明する。
【００５１】
まず、現在の位置からアンテナ４１をアンテナ支柱４２ごと取り外す。具体的には、屋根裏空間においてアンテナケーブル５１をケーブルコネクタ５２から抜き取るとともに、アンテナ支柱４２の中空部から抜き取る。また、屋根裏空間において支柱固定具４３をアンテナ支柱４２及び棟木２１の両方から取り外し、アンテナ支柱４２を棟木２１及び棟瓦２４ａの支柱挿通孔４５，４６から屋根上に向けて抜き取る。
【００５２】
その後、棟瓦２４ａの支柱挿通孔４６を移設するために、移設元の棟瓦２４ａと移設先の棟瓦２４ａとを取り替える。そして、移設先において棟木２１及び棟瓦２４ａの支柱挿通孔４５，４６にアンテナ支柱４２を屋根上から挿通させるとともに、屋根裏空間において支柱固定具４３を取り付けてアンテナ支柱４２を棟木２１に対して固定する。さらに、アンテナケーブル５１をアンテナ支柱４２の上端部のケーブル引き出し口５５から挿し入れ、下端部のケーブル引き出し口５５から引き出すとともにアンテナケーブル５１を近傍のケーブルコネクタ５２に差し込む。
【００５３】
また、アンテナ４１を増設する場合は、増設先において既設の棟瓦２４ａを新規の支柱挿通孔４６有りの棟瓦２４ａに取り替え、アンテナ４１をアンテナ支柱４２に取り付けるとともに、アンテナ支柱４２の移設時と同様にアンテナ支柱４２の設置及びアンテナケーブル５１の接続作業を行う。この場合、新規の棟瓦２４ａについては、その棟瓦２４ａにおける支柱挿通孔４６の位置が既設の棟瓦２４ａと同じとされている。つまり、支柱挿通孔４６はいずれの棟瓦２４ａにおいてもあらかじめ定めた所定位置に配置されている。このため、新規の棟瓦２４ａを取り付けた位置においても棟瓦２４ａ及び棟木２１の各支柱挿通孔４５，４６が上下に並ぶことになる。
【００５４】
屋根１０の上に、太陽光発電を行う太陽光パネル６１が設置されている場合、その太陽光パネル６１は棟木２１により支持されていてもよい。ここでは、太陽光パネル６１の支持構成について図４を参照しつつ説明する。図４は太陽光パネル６１周辺の屋根１０の構成を示す図であり、（ａ）に屋根１０の平面図を示し、（ｂ）に棟木２１周辺の屋根１０の縦断面図を示す。
【００５５】
図４（ａ）、（ｂ）に示すように、屋根１０において一対の傾斜屋根部１０ａの上には、太陽光パネル６１がそれぞれ設置されている。各傾斜屋根部１０ａにおいて太陽光パネル６１は、棟１２の下方にて棟木２１の長手方向に沿って延びるようにそれぞれ配置されている。この場合、各太陽光パネル６１の上端部が屋根１０の棟１２側に集合した状態となっている。なお、太陽光パネル６１は、比較的大型の建物設備に相当する。
【００５６】
棟木２１の支柱挿通孔４５は、ウェブ２１ａを挟んでフランジ２１ｂの両端側に設けられており、両端側のそれぞれにおいて棟木２１の長手方向に沿って並べて配置されている。同様に、棟瓦２４ａの支柱挿通孔４６も、棟１２を挟んで両側に設けられており、両側のそれぞれにおいて棟木２１の長手方向に沿って並べて配置されている。この場合、支柱挿通孔４６有りの複数の棟瓦２４ａが、棟木２１の複数の支柱挿通孔４５の上方に配置されていることになる。
【００５７】
棟木２１の長手方向の複数の場所において、太陽光パネル６１を支持するパネル支柱６２が、アンテナ支柱４２と同様に、棟木２１及び棟瓦２４ａの支柱挿通孔４５，４６に挿通された状態で支柱固定具４３により棟木２１に対して固定されている。パネル支柱６２は、アンテナ支柱４２と同様に、金属材料により形成された鋼管柱とされ、上下両端部にケーブル引き出し口５５をそれぞれ有している。
【００５８】
各パネル支柱６２の上端部は、ワイヤ等の連結具６３により太陽光パネル６１の上端部にそれぞれ連結されている。この場合、一対の傾斜屋根部１０ａのそれぞれにおいて、太陽光パネル６１が複数のパネル支柱６２を介して棟木２１により支持されていることになる。
【００５９】
太陽光パネル６１は、建物内に設置された蓄電装置や電力供給装置に対して電気配線としての電力ケーブル６５により電気的に接続されている。電力ケーブル６５は、複数のパネル支柱６２のうち少なくとも１つのパネル支柱６２の中空部に挿通された状態で、一端が太陽光パネル６１に接続され、他端が建物内において蓄電装置や電力供給装置に接続されている。
【００６０】
一対の傾斜屋根部１０ａのそれぞれに太陽光パネル６１が設置された構成においては、棟１２側に太陽光パネル６１の上端部が集合した状態となっているため、複数のパネル支柱６２により各太陽光パネル６１を棟木２１に連結する上で都合がよい。例えば、構造強度の高い棟木２１に対して太陽光パネル６１が固定されるため、重量が比較的大きい太陽光パネル６１であっても好適に支持できる。さらには、太陽光パネル６１の支持構造が煩雑なものとなることを抑制できる。
【００６１】
以上詳述した本実施形態によれば、以下の優れた効果が得られる。
【００６２】
棟木２１及び棟瓦２４ａを貫通した状態でアンテナ支柱４２が設置されている構成において、棟木２１において支柱挿通孔４５が棟木２１の長手方向に沿って複数並べられているとともに、棟瓦２４ａの支柱挿通孔４６の位置が変更可能とされている。このため、アンテナ支柱４２の挿通対象を他の支柱挿通孔４５，４６に変更するという容易な作業により、アンテナ支柱４２の固定方式を変えることなく、棟木２１の長手方向においてアンテナ支柱４２の設置位置を変更することが可能となる。同様に、棟瓦２４ａの支柱挿通孔４６を増設することにより、新規のアンテナ支柱４２を支柱挿通孔４５，４６に挿通するという容易な作業により、アンテナ支柱４２の増設を行うことができる。
【００６３】
さらに、屋根１０の上に太陽光パネル６１が設置されている場合には、棟木２１の長手方向に沿った複数の位置において、パネル支柱６２が支柱挿通孔４５，４６に挿通された状態で棟木２１に対して固定され、これらパネル支柱６２により太陽光パネル６１が支持されている。ここで、棟木２１は複数の垂木２２を支持するほどの強度を有しているため、複数のパネル支柱６２が固定されてもそれらパネル支柱６２をいずれも好適に支持できる。
【００６４】
以上の結果、屋根１０の上に設置された建物設備を好適に支持することができる。
【００６５】
アンテナ支柱４２の中空部に挿通させたアンテナケーブル５１を、アンテナ支柱４２の上下両端部にてケーブル引き出し口５５から棟瓦２４ａの上下にてそれぞれ引き出すことができる。このため、支柱挿通孔４５，４６が設けられた各場所において、アンテナ支柱４２の固定方式に加えてアンテナケーブル５１の敷設方式を統一できる。したがって、アンテナ支柱４２の設置作業に加えてアンテナケーブル５１の敷設作業を容易化できる。これは、太陽光パネル６１の設置に際して、パネル支柱６２の設置作業及び電力ケーブル６５の敷設作業についても同様である。
【００６６】
ケーブルコネクタ５２が棟木２１の長手方向に沿って複数並べて配置されているため、棟木２１において複数の支柱挿通孔４５のいずれにアンテナ支柱４２が固定されていても、その固定先でアンテナケーブル５１を近くのケーブルコネクタ５２に接続することができる。したがって、アンテナ支柱４２を移設した場合に、アンテナケーブル５１を移設元から移設先まで延ばすように敷設するという必要がない。つまり、アンテナケーブル５１の敷設作業を容易化できる。
【００６７】
ケーブルコネクタ５２は、棟木２１の支柱挿通孔４５ごとに配置されているため、アンテナ支柱４２の設置場所においてアンテナケーブル５１がケーブルコネクタ５２に届かないという不都合を回避できる。この場合、アンテナ支柱４２の設置場所に合わせてアンテナケーブル５１を長さ調整するという必要がないため、アンテナケーブル５１をケーブルコネクタ５２に接続する作業を容易化できる。
【００６８】
アンテナ支柱４２において下側のケーブル引き出し口５５が棟木２１の下側に配置されている構成において、ケーブルコネクタ５２が棟木２１の下側に配置されているため、ケーブルコネクタ５２にアンテナケーブル５１を接続する作業を容易化できる。特に、支柱固定具４３をアンテナ支柱４２及び棟木２１に対して取り付ける作業や、アンテナケーブル５１をアンテナ支柱４２において下側のケーブル引き出し口５５から引き出す作業は、天井裏空間等において棟木２１の下方から行うと想定されるため、アンテナケーブル５１をケーブルコネクタ５２に接続する作業を棟木２１の下側にて行うことができることにより、アンテナ４１の設置作業をより一層容易化できる。
【００６９】
支柱挿通孔４６有りの棟瓦２４ａを位置変更することにより、支柱挿通孔４６を移設することができる。この場合、棟木２１において支柱挿通孔４５が複数設けられている構成において、アンテナ支柱４２の設置場所に対して棟瓦２４ａを加工して支柱挿通孔４６を新たに形成するという必要ないため、支柱挿通孔４６の移設作業や増設作業を容易化できる。つまり、棟木２１の支柱挿通孔４５に合わせて棟瓦２４ａの支柱挿通孔４６を形成する作業を容易化できる。
【００７０】
各棟瓦２４ａが所定寸法Ｌで配置されている構成において、棟木２１の各支柱挿通孔４５はＬ×ｎ（ｎは自然数）の間隔で配置されているため、いずれの棟瓦２４ａが支柱挿通孔４６有りの棟瓦２４ａとされても、棟瓦２４ａ及び棟木２１の各支柱挿通孔４５，４６を上下に並べて配置することができる。この場合、棟瓦２４ａ同士の位置を入れ替えることが可能であるため、支柱挿通孔４６の位置を変更する際に、新規の棟瓦２４ａを使用する必要がない。したがって、支柱挿通孔４６の移設についてコスト低減を図ることができる。
【００７１】
（他の実施形態）
本発明は上記実施形態の記載内容に限定されず、例えば次のように実施してもよい。
【００７２】
（１）ケーブルコネクタ５２は、棟木２１の支柱挿通孔４５ごとに設けられていなくてもよい。例えば、２つの支柱挿通孔４５ごとに１つのケーブルコネクタ５２が設けられている構成とする。この場合でも、棟木２１の長手方向に沿ってケーブルコネクタ５２を複数並べて配置することにはなる。
【００７３】
（２）ケーブルコネクタ５２は、棟木２１の側方や上方に配置されていてもよい。ただし、棟木２１の支柱挿通孔４５の周辺に配置されていることが好ましい。さらには、アンテナ支柱４２やパネル支柱６２等の支持部材において屋内側の配線引き出し口の周辺に配置されていることが好ましい。
【００７４】
（３）屋根１０において、棟木２１の上方に棟瓦２４ａではなく他の瓦２４が配置されていれば、屋根仕上材を貫通する支柱挿通孔４６は前記他の瓦２４に設けられていてもよい。この場合でも、瓦２４を移動させることにより屋根仕上材において支柱挿通孔４６の位置変更が可能な構成を実現できる。
【００７５】
（４）屋根１０において、屋根葺き材としては瓦２４の他にスレート材が挙げられる。例えば、スレート材が野地板２３の上に複数載置されており、それらスレート材のうち棟木２１の支柱挿通孔４５の上方に配置されたスレート材には、支柱挿通孔４６が設けられている構成とする。この構成では、棟瓦２４ａと同様に、棟木２１の上方においてはスレート材同士の入れ替えが可能とされている。
【００７６】
（５）屋根１０においては、金属材料により板状に形成された屋根葺き材が屋根仕上材として設けられていてもよい。例えば、屋根葺き材としての金属板が、棟木２１の複数の支柱挿通孔４５を跨ぐように設けられている構成とする。この構成では、金属板には、棟木２１の各支柱挿通孔４５に合わせて複数の支柱挿通孔４６があらかじめ複数形成され、アンテナ支柱４２等の支持部材が挿通されていない支柱挿通孔４６には、パッキン等の防水部材が取り付けられている。この場合、金属板の支柱挿通孔４６に対して防水部材を着脱することにより、支柱挿通孔４６の移設や増設を容易に行うことができる。
【００７７】
（６）支持部材は、管状ではなく中実柱状の部材により形成されていてもよい。ただし、電気配線を挿通可能な配線挿通孔が支持部材の内部に設けられていることが好ましい。
【００７８】
（７）上記実施形態では、屋根１０が切妻式とされているが、寄棟式や片流れ式とされていてもよい。要は、棟１２に沿って延びる棟木２１を有しており、その棟木２１に対してアンテナ支柱４２やパネル支柱６２といった支持部材が固定され、その固定位置が支柱挿通孔４５，４６等の棟木孔及び仕上材孔として複数設定された構成であればよい。
【００７９】
また、傾斜屋根部１０ａのそれぞれに太陽光パネル６１等の建物設備が設置され、各建物設備がパネル支柱６２等の支持部材により支持される構成においては、屋根１０が寄棟式とされていてもよい。この場合、棟木２１をその短手方向において挟んだ傾斜屋根部１０ａに加えて、その長手方向において挟んだ傾斜屋根部に建物設備を設置することが可能となり、いずれの傾斜屋根部に建物設備が設置されていても各建物設備を支持部材により棟木２１に対して固定することができる。
【００８０】
さらに、各傾斜屋根部１０ａに配置されたそれぞれの建物設備は、共通の支持部材に連結されていてもよい。この場合、それら建物設備が支持部材を挟んで反対側に配置されていれば、支持部材に対する荷重方向のバランスを良くすることができる。したがって、支持部材により建物設備を支持する上で好適である。
【００８１】
（８）棟木２１において、支柱挿通孔４５は上下の各フランジ２１ｂのうち下側のフランジ２１ｂには設けられていなくてもよい。支柱挿通孔４５は、棟木２１の少なくとも一部を上下に貫通していればよい。
【００８２】
（９）棟木２１は、Ｉ形鋼など他の形状の形鋼により形成されていてもよく、木材により形成されていてもよい。要は、棟１２に沿って延びる梁材としての横架材であればよい。
【００８３】
（１０）屋根１０の上に設置される建物設備としては、アンテナ４１や太陽光パネル６１の他に給湯設備の貯湯タンクや風力発電装置などが挙げられる。
【符号の説明】
【００８４】
１０…屋根、１２…棟、２１…棟木、２２…垂木、２４…屋根仕上材としての瓦、２４ａ…屋根仕上材、孔有り葺き材及び孔無し葺き材としての棟瓦、４１…建物設備及び電気機器としてのアンテナ、４２…支持部材としてのアンテナ支柱、４４…電気配線としてのアンテナケーブル、４５…棟木孔としての支柱挿通孔、４６…仕上材孔としての支柱挿通孔、５１…電気配線としてのアンテナケーブル、５２…ケーブルコネクタ、５５…配線引き出し口としてのケーブル引き出し口、６１…太陽光パネル、６２…支持部材としてのパネル支柱、６５…電気配線としての電力ケーブル。
【図１】
2012224984.tif 000003
【図２】
2012224984.tif 000004
【図３】
2012224984.tif 000005
【図４】
2012224984.tif 000006